(57)【特許請求の範囲】
【請求項１】
魚釣りに用いる釣竿であって、
竿体と、
前記竿体に装着されたリールと、
前記竿体に装着され前記リールからの釣糸を挿通可能な挿通部分を有する釣糸挿通部材と、
前記釣糸挿通部材の前記挿通部分内周面に配置された撥水剤とを備え、
前記竿体は、ガイド孔を有し、前記竿体周面に固定された釣糸ガイドを備え、
前記釣糸挿通部材は、前記釣糸ガイドの前記ガイド孔に脱着自在に装着されるリング部材である、釣竿。
【請求項２】
前記撥水剤は液体ワックスを含ませた部材または固形ワックス部材である、請求項１に記載の釣竿。
【発明の詳細な説明】
【０００１】
【発明の属する技術分野】
本発明は魚釣りに用いる釣竿、詳しくはリールを装着して用いるリール竿に関するものである。
【０００２】
【従来の技術】
魚釣りに用いる釣竿は複数の竿体を連結してなり、最も竿元側に位置する元竿の周面には脱着自在にリールが装着されている。そして「外通し竿」においては、各竿体の周面に釣糸ガイドが設けられ、リールからの釣糸が順次この釣糸ガイドを挿通して穂先側に導かれる。また「中通し竿」においては、リールの穂先側の竿体周面に釣糸導入口が形成されており、リールからの釣糸はこの釣糸導入口から竿体内に導入され順次竿体内を挿通して穂先側に至り、穂先側先端のトップガイドから外部に導出される。
【０００３】
【発明が解決しようとする課題】
従来の釣竿における問題点としては、「外通し竿」「中通し竿」を問わず、釣糸のべたつき現象が挙げられる。即ち、水中に投じられる釣糸は当然に水が付着するためリールの巻き上げ時には水が付着した釣糸が巻き上げられることになり、外通し竿においてはこのように水が付着した釣糸は竿体周面にべたつく場合があり、中通し竿においてはこのように水が付着した釣糸は竿体内周面にべたつく場合がある。
【０００４】
このような釣糸のべたつき現象を抑えるべく、釣糸自体に撥水剤をコーティングしたり、中通し竿にあっては竿体内に小突起を設けたり撥水剤を内周面にコーティングする等の工夫を施している。しかし、長期にわたって使用するにつれ、コーティングの劣化や摩耗等によりかかる撥水性が徐々に低下し、長期にわたって釣糸のべたつきを充分に抑えるのに十分ではなかった。
【０００５】
本発明の課題は、釣糸のべたつきを長期にわたって抑えることができる釣竿を提供することにある。
【０００６】
【課題を解決するための手段】
発明１にかかる釣竿は、魚釣りに用いる釣竿であって、竿体と、竿体に装着されたリールと、竿体に装着されリールからの釣糸を挿通可能な挿通部分を有する釣糸挿通部材と、釣糸挿通部材の挿通部分内周面に配置された撥水剤とを備えている。竿体は、ガイド孔を有し、竿体周面に固定された釣糸ガイドを備えている。そして、釣糸挿通部材はこの釣糸ガイドのガイド孔に脱着自在に装着されるリング部材である。
【０００７】
この釣竿においては、使用時にリールからの釣糸が釣糸挿通部材の挿通部分を挿通しながら出入りする。そして、釣糸は釣糸挿通部材を挿通する際に挿通部分内周の撥水剤に接触する。このように釣糸がリールからの出入りの際に撥水剤に接触することで常に釣糸に新たに撥水処理が施されることとなり、長期にわたって釣糸の撥水作用を維持できる。
【００１０】
この釣竿では、リールからの釣糸が釣糸ガイドを挿通する際に、釣糸ガイドのガイド孔に配置されるリング部材が釣糸に対して撥水処理を施すことになる。使用され撥水剤の交換または補充が必要になれば、リング部材を交換または補充する。
【００１２】
この釣竿では、リールからの釣糸を釣糸導入口に案内する釣糸導入ガイドの２つのガイドの間に釣糸挿通部材があり、これを釣糸が挿通する際に釣糸に撥水処理が施されることになる。使用され撥水剤の交換または補充が必要になれば、このパイプ部材を交換または補充する。
【００１４】
発明２にかかる釣竿は、発明１の釣竿であって、撥水剤は液体ワックスを含ませた部材または固形ワックス部材である。撥水剤が固定ワックスの場合には固形ワックスを交換または補充し、この固形ワックスが釣糸挿通部材に一体化されている際には釣糸導通部材毎に交換することになる。また、撥水剤が液体ワックスの場合には、例えば、釣糸挿通部材に配置されたスポンジ部材に含ませておき、必要に応じて液体ワックスをこのスポンジ部材に補充することになる。
【００１５】
【発明の実施の形態】
［第１実施形態］
以下、本発明の第１実施形態について図面を参照しつつ説明する。
【００１６】
図１に示すように、本発明の第１実施形態を採用した釣竿は、元竿１と元竿１の穂先側に順次振出形式で連結される元上竿２，中竿３及び穂先竿４とを有している。これら元竿１〜穂先竿４は炭素繊維等の強化繊維に合成樹脂を含浸させたプリプレグから構成される先細り筒状部材である。そして、元竿１には、竿元側端部に脱着自在に固定された尻栓９が配置され、竿元側周面にはリール（図示せず）を脱着自在に装着可能なリールシート５が設けられている。また、元竿１の穂先側周面にはリールからの釣糸Ｌを竿体内に挿入するための釣糸導入口６が設けられており、この釣糸導入口６付近には釣糸ガイド７が配置されている。一方、穂先竿４の穂先側先端にはトップガイド８が連結されており、リールからの釣糸Ｌは釣糸導入ガイド７に支えられつつ釣糸導入口６から竿体内に挿入され、穂先竿４のトップガイド８から外部に導出される。
【００１７】
図２に示すように、釣糸導入ガイド７は、釣糸導入口６の穂先側において元竿１に接して巻糸等で元竿１に固定される第１固定部１１と、釣糸導入口６の竿元側において元竿１に接して巻糸等で固定される第２固定部１２と、釣糸導入口６を跨ぐようにして第１固定部１１と第２固定部１２とを連結する本体部１３とを有している。また、この本体部１３は、竿元側の第２固定部１２から上方に起立する部分に設けられた第１ガイドリング１４と、軸方向中央付近から釣糸導入口６の竿元側付近に吊下しつつ設けられた第２ガイドリング１５とを有している。そして、第１ガイドリング１４と第２ガイドリング１５との間にはパイプ部材（釣糸挿通部材）１６が脱着自在に装着されている。
【００１８】
第１固定部１１及び第２固定部１２は巻糸やパイプ部材によって元竿１に巻回され固定されている。例えば、巻糸で固定する場合は第１固定部１１及び第２固定部１２をそれぞれ第１中竿２と共に巻回し合成樹脂等によってコーティングするのが好ましい。
【００１９】
本体部１３は第１固定部１１及び第２固定部１２と一体的に構成された金属製の部材である。この本体部１３は、第１固定部１１と第２固定部１２との間を橋架状に跨いでいる。本体部１３の竿元側部分及び軸方向中央付近の吊下部分にはそれぞれ元竿１の軸方向に貫通する貫通孔が形成され、第１，第２ガイドリング１４，１５が装着されている。これらはセラミックス等の硬質部材からなるリング状の部材であり、釣糸がその中を挿通して支持されることになる。
【００２０】
図３に詳しく示すように、パイプ部材１６は軸方向に貫通する貫通孔を有する部材であり、金属または合成樹脂製の部材の内周面にワックス層を積層したものである。また、パイプ部材１６自体を直接ワックス素材によって形成してもよい。そして、軸方向両端にはそれぞれ小径に軸方向に突出するはめ込み部分１６ａ，１６ｂが形成されており、この部分を第１，第２ガイドリング１４，１５に無理ばめすることで、パイプ部材１６は脱着自在に第１，第２ガイドリング１４，１５に挟持される。
【００２１】
このように構成された釣竿においては、リールからの釣糸は、釣糸導入ガイド７の第１，第２ガイドリング１４，１５を挿通して釣糸導入口６から竿体に出入りする際にパイプ部材１６内も挿通する。そして、釣糸はパイプ部材１６を挿通する際に撥水剤に接触する。このように釣糸がリールからの出入りの際に撥水剤に接触することで常に釣糸に新たに撥水処理が施されることとなり、長期にわたって釣糸の撥水作用を維持できる。また、パイプ部材１６は脱着自在であり、撥水剤が不足した場合や摩耗した場合には必要に応じてパイプ部材１６を交換し、新しいものにすればよい。
【００２２】
［第２実施形態］
以下、本発明の第２実施形態について図面を参照しつつ説明する。
本発明の第２実施形態を採用した釣竿も、第１実施形態と同様に、元竿１〜穂先竿４から構成される。また、各竿体の内部は釣糸が挿通するための釣糸挿通通路１００となっており、挿通する釣糸を支持し接触面積を低減させるための釣糸支持突起２００が内周面に螺旋状に一体的に形成されている（図４参照）。
【００２３】
図４に示すように、元上竿２の竿元側端部内周面にはねじ山が直接形成されまたは雌ねじ部材が別途装着される。そして、そのねじ山または雌ねじ部材には底栓（釣糸挿通部材）２０が脱着自在に螺合している。底栓２０は略筒状の金属または合成樹脂製の部材であり軸方向に貫通する貫通孔を有する本体部２１と、本体部２１の貫通孔の竿元側内周にはめ込まれて固定されたリング部材２２とからなる。本体部２１の穂先側外周面にはねじ山が形成され元上竿２に螺合する部分となる。また、リング部材２２は固定ワックスから構成されたリング状の部材である。または、別途セラミックス製のリングをはめ込むのと共にワックスからなるリングをはめ込んでもよい。
【００２４】
なお、元上竿２以外の他の中竿３等にも同様の底栓を設けてもよい。
このように構成された釣竿では、内部に釣糸が挿通する元上竿２の竿元側端部に装着される底栓２０を釣糸が挿通する際に、底栓２０に設けられているリング部材２２に釣糸が接触して撥水処理が施されることになる。使用され固形のワックスからなるリング部材が摩耗し消耗された場合には、底栓２０を交換すればよい。
【００２５】
［第３実施形態］
以下、本発明の第３実施形態について、図面を参照しつつ説明する。
本発明の第３実施形態を採用した釣竿は、いわゆる外通し竿であり、竿体３０の周面に間隔を隔てて複数の釣糸ガイド３１が固定されている。
【００２６】
図５に示すように、釣糸ガイド３１は、竿体３０周面に固定される固定部３２と、固定部３２より起立した本体部３３と、本体部３３の先端部付近に配置されるリング部材３４（釣糸挿通部材）とを有している。
【００２７】
固定部３２は、第１実施形態と同様に竿体３０の周面に接しつつ、例えば巻糸によって巻回され合成樹脂等によってコーティングされ、または固定部３２自体がパイプ状に形成されて固定されている。また、本体部３３は固定部３２と一体的に構成された金属製の部材である。固定部３２より上方に柱状に起立し上端部付近に竿体３０の軸方向に向かって貫通する貫通孔を有する。そして、ここにリング部材３４が脱着自在にはめ込まれて固定されている。
【００２８】
リング部材３４はリング状の本体部３５と本体部３５内周に固定された固形のワックス３６とを有している。本体部３５は軸方向一方側周縁に固定フランジを有すると共に他方側周縁に係止用フランジを有し、係止用フランジ側から本体部３２の貫通孔にはめ込まれて脱着自在に固定される。
【００２９】
このように構成された釣竿では、リールからの釣糸が釣糸ガイド３１を挿通する際に、釣糸ガイド３１に配置されるリング部材３４が釣糸に対して撥水処理を施すことになる。使用され撥水剤の交換または補充が必要になれば、リング部材３４を交換する。
【００３０】
［他の実施形態］
（ａ）図６に示すように、パイプ部材１６はその内周面にスポンジ材１７を配置したものとしてもよい。この場合、このスポンジ材１７に液体ワックス，シリコンオイル等を補充することで、スポンジ材１７が釣糸に撥水処理を施すことになる。（ｂ）釣糸ガイドの形状は上記実施形態に限定されるものではない。（ｃ）その他、中通し竿のトップガイド内にワックス等を配置することも考えられる。
【００３１】
【発明の効果】
本発明によれば、釣糸のべたつきを長期にわたって抑えることができる。
【図面の簡単な説明】
【図１】本発明の第１実施形態を採用した釣竿の全体図。
【図２】図１の釣糸導入ガイド付近の拡大図。
【図３】図２のパイプ部材の拡大図。
【図４】本発明の第２実施形態を採用した元上竿２の拡大図。
【図５】本発明の第３実施形態を採用した釣竿の釣糸ガイド３１を示した図。
【図６】本発明の他の実施形態を採用したパイプ部材１６を示した図。
【符号の説明】
１  元竿
２  元上竿
７  釣糸導入ガイド
１６  パイプ部材
２０  底栓
３１  釣糸ガイド
【図１】
0004623532.tif 000002
【図２】
0004623532.tif 000003
【図３】
0004623532.tif 000004
【図４】
0004623532.tif 000005
【図５】
0004623532.tif 000006
【図６】
0004623532.tif 000007